(57)【特許請求の範囲】
【請求項１】
動作ヘッド（２）と、前記動作ヘッド（２）に接合され且つ歯ブラシハンドピース（４）に取付け可能なチューブ状の結合部材（３）とを含み、前記動作ヘッド（２）を駆動するための差し込みシャフト（２９）が、前記結合部材（３）に備えられ且つ前記歯ブラシハンドピース（４）に備えられた駆動シャフト（３１）と積極的な係合によって結合するための結合外形（１３０）を有しており、前記結合外形（１３０）が、積極的な係合及び／又は摩擦的な係合によって前記駆動シャフト（３１）をともにロックするための付属品の縦方向を横断する方向に移動可能な係合要素を含む、電動歯ブラシ用の付属品において、
前記結合部材に備えられた横方向に移動可能な係合要素（１０６）及び／又は作動要素（１０７）が、当該付属品の縦方向に移動可能とされ、前記係合要素（１０６）が、前記作動要素と係合可能であることにより、当該付属品の縦方向における前記作動要素（１０７）及び／又は前記係合要素（１０６）の運動が、当該付属品の縦方向を横断する方向における前記係合要素（１０６）のロック解除又はロック運動をもたらす、ことを特徴とする付属品。
【請求項２】
前記動作ヘッド（２）から離れる前記作動要素（１０７）の軸方向運動中に、ロック解除部分（１０８）が前記係合要素（１０６）と係合するように移動可能とされ且つ前記係合要素（１０６）をロック解除位置に押し出すように配置されて構成された前記ロック解除部分（１０８）を前記作動要素（１０７）が有する、請求項１記載の付属品。
【請求項３】
一対の傾斜面（１０９、１１０）が前記係合要素（１０６）及び前記作動要素（１０７）に備えられており、前記係合要素（１０６）が前記作動要素（１０７）を乗り越えた場合に、前記対が前記ロック解除及び／又はロック運動をもたらす、請求項１又は２に記載の付属品。
【請求項４】
前記係合要素（１０６）が、弾力性があって及び／又は横軸まわりに旋回する係合フィンガ（１１２）の突出端部に備えられ且つ前記作動要素（１０７）によって半径方向に移動可能とされる戻り止め外形（１１１）を有する、請求項１〜３のいずれか一項に記載の付属品。
【請求項５】
前記係合要素（１０６）が、半径方向に伸長及び圧縮可能な戻り止めリング（１２５）を含み、前記戻り止めリング（１２５）が、くさび状面（１１０）を有し、更に／又は、当該付属品の縦方向において軸方向に前記作動要素（１０７）にわたって乗る場合に前記作動要素（１０７）のくさび状面（１０９）によって半径方向に伸長可能である、請求項１〜３のいずれか一項に記載の付属品。
【請求項６】
前記作動要素（１０７）が、前記結合部材を前記歯ブラシハンドピース（４）のネックに結合するための前記結合部材（３）内に備えられた結合挿入体（５）に対して連結されており、前記結合挿入体が、当該付属品の縦方向において前記結合部材（３）に対して軸方向に変位可能である、請求項１〜５のいずれか一項に記載の付属品。
【請求項７】
前記結合挿入体（５）が、積極的な係合及び／又は摩擦的な係合によって前記歯ブラシハンドピース（４）のネックをロックするために前記係合部分（６）に対して連結されており、したがって前記結合部材（３）に対する前記結合挿入体（５）の軸方向運動が、当該付属品の縦方向を横断する方向における前記係合部分（６）のロック解除及び／又はロック運動をもたらす、請求項６に記載の付属品。
【請求項８】
前記歯ブラシハンドピース（４）のネックの円筒状又は円錐状の連結要素及び／又はその上を摺動するアダプタが止まり嵌めによって内部に挿入可能とされる、均一に円筒状又は円錐状の取付け部（１３）を有するスリーブを前記結合挿入体（５）が形成している、請求項６又は７記載の付属品。
【請求項９】
前記結合挿入体（５）の前記円錐状の取付け部（１３）が、７°よりも大きい傾斜角（１５）を有する、及び／又は、自動ロックしない様態で構成されている、請求項８に記載の付属品。
【請求項１０】
前記作動要素（１０７）が、当該付属品の縦方向において軸方向に変位可能であるスライドを備える、請求項１〜５のいずれか一項に記載の付属品。
【請求項１１】
前記差し込みシャフト（２９）の前記結合外形（１３０）の前記係合要素（１０６）が、戻り止めクリップ及び／又はバネ留め金を形成し、その戻り止めクリップ及び／又はバネ留め金が、前記結合部材（３）が前記歯ブラシハンドピース（４）上に差し込まれた場合に、前記駆動シャフト（３１）に沿って摺動し、その過程で弾性的に反発し、完全に差し込まれた位置に到達すると積極的な係合によって適所に嵌め込む、請求項１〜１０のいずれか一項に記載の付属品。
【請求項１２】
前記戻り止めクリップ及び／又は前記バネ留め金が、前記作動要素（７）と前記結合挿入体（５）との間の軸方向の相対運動により、その嵌め込み位置から外れることが可能である、請求項１１に記載の付属品。
【請求項１３】
前記結合外形（１３０）が、円錐状の接合面（faying surface）又は複数の周方向に離隔されて配置された接合面を有する、請求項１〜１２のいずれか一項に記載の付属品。
【請求項１４】
前記円錐状の接合面が７°よりも大きい傾斜角を有する、請求項１３に記載の付属品。
【発明の詳細な説明】
【発明の分野】
【０００１】
本発明は、ハンドピース及びその上に取付け可能な付属品を有する電動歯ブラシに関する。本発明は、特に、動作ヘッドと、動作ヘッドに接合され且つ歯ブラシハンドピース上に取付け可能な管状の結合部材とを含み、動作ヘッドを駆動するための差し込みシャフトが、結合部材に備えられ且つ歯ブラシハンドピースに備えられた駆動シャフトと積極的な係合によって結合するための結合外形を有する、そのような電動歯ブラシ用の付属品に関する。さらに、本発明はまた、止まり嵌めによって付属品の差し込みシャフト内に挿入可能な駆動シャフトを有する上記歯ブラシハンドピースにも関する。上記付属品は、特に、歯の清浄用の付属品ブラシであり得るが、歯間掃除装置、歯茎マッサージヘッド、又は、口腔内における同様の作業を行うための他の付属品器具もまた、意図されることができる。
【発明の背景】
【０００２】
欧州登録特許第０，５００，５３７号明細書から、付属品ブラシが、その一方で歯ブラシハンドピースの前端部のシャンク部分に、且つ、もう一方でそこから突出している駆動シャフトに対して連結されている電動歯ブラシが知られている。この目的のために、付属品ブラシは、ハンドピース上の対応する戻り止め切り込みにおける適所にロック可能な弾力性がある戻り止めフックを半径方向に有する。
【０００３】
独国特許出願公開第１０３，５２，９９３号明細書から、歯ブラシハンドピースから前端部において突出している駆動シャフトに付属品ブラシが直接的にのみ固定されている電動歯ブラシがさらに知られている。この目的のために、付属品ブラシは、全体的にスリーブ状の取付け部が内部に挿入される止まり孔タイプの内凹部を備えた結合部材を有する。駆動シャフトが止まり嵌めによって内部に挿入されることができる上記取付け部は、半径方向に弾力性があって付属品ブラシと駆動シャフトとの間で遊びなしの連結を確実にすることが意図される幾つかのバネ要素を含む。
【０００４】
前端部において突出しているスタブを収容している歯ブラシハンドピースに付属品を締め付け固定するために、それとの摩擦的な係合によって適所に堅固にクランプ締めされるまで、力でスタブ上に付属品の管状の結合部材を単に押し込むことも知られている。しかしながら、電動歯ブラシの駆動の振動及びブラッシングによって加えられる力に起因して分離されることになる連結を防止するために、クランプ機構の自動ロックを実行するために非常に僅かなテーパーを使用する必要がある。一方、より寛大な許容誤差を許容する連結を得るのを可能とするために、歯ブラシハンドピースのスタブ又はネック上に、また、それと相補的に、付属品上に、より明確なテーパーを備えるのが望ましい。
【０００５】
基本的に、同じものがハンドピースの駆動シャフトと付属品の差し込みシャフトとの間の連結に適用される。ここでもまた、より寛大な許容誤差を可能とする連結を得るのを可能とするために、駆動シャフトの結合外形上に、また、それと相補的に、付属品の差し込みシャフト上に、より明確なテーパーを備えるのが望ましい。
【発明の概要】
【０００６】
この実現に基づいて、有利な様態でさらに当該技術を進歩させるとともに、従来技術の欠点を防止する改善された歯ブラシ、改善された歯ブラシハンドピース、及び、改善されたその付属品を提供することが本発明の目的である。特に、許容誤差の影響を受けず、望ましくは遊びなしで駆動系の２つの部分を結合し、さらに、容易な様態で再度外されて再構成されることができる、付属品の差し込みシャフトと歯ブラシハンドピースの駆動シャフトとの間における結合が容易な連結を提供することが目的である。好ましくは、異なる駆動シャフト構成を備えた異なる歯ブラシハンドピースを用いた使用に適切な付属品について望ましい。
【０００７】
本発明によれば、この目的は、請求項１、１５、１９に記載の付属品、請求項２３に記載の歯ブラシハンドピース、及び、請求項２７に記載の歯ブラシによって達成される。本発明の好ましい実施形態は、従属請求項の内容である。
【０００８】
したがって、本発明の１つの態様において、付属品の縦方向（長手方向）において軸方向に移動可能な結合要素を付属品上に備えること、及び、その軸方向の相対運動を付属品の縦方向を横断する方向における駆動系の結合のロック解除又はロック運動に変えることが提案される。これは、一方では、付属品と歯ブラシハンドピースとの間において堅固でさらに振動に耐性がある連結が得られるのを可能とするとともに、他方では、既知技術である軸方向の押し込み及び引き離し運動によって連結が外されて再構成されるのを可能とする。本発明によれば、横方向に移動可能な、付属品の差し込みシャフトの結合外形の係合要素、及び／又は、付属品の結合部材に備えられた作動要素は、当該付属品の縦方向に移動可能とされ、係合要素が作動要素と係合可能であることにより、当該付属品の縦方向における作動要素及び／又は係合要素の運動が、当該付属品の縦方向を横断する方向における係合要素のロック解除又はロック運動をもたらす。付属品の差し込みシャフトの結合外形が、歯ブラシハンドピースの駆動シャフト上にロックされた場合には、まず、それに対して連結された付属品又は作動要素が、ロックされた結合外形に対して付属品の縦方向において略軸方向に移動され、これにより、結合外形の係合要素は、差し込みシャフトが付属品とともに歯ブラシハンドピースの駆動シャフトから引き離されることができるように、歯ブラシの縦方向を横断する方向にそれ自身をロック解除する。この取り付け又は連結機構は、それにもかかわらず付属品の縦方向を横断する方向に起こるロック運動によって堅固な締め付け固定が保証されることから、駆動系の界面において備えられることになる特により明確なテーパーを備えた外形を連結する又は接合する非自動ロックさえも許容する。特に、この点で他の問題がある駆動系の界面は、したがって、許容誤差の影響を受けない状態にされることができる。
【０００９】
付属品の単純な操作を達成して従来と同様にできる限り容易に付属品を歯ブラシハンドピースから引き離すのを可能とするために、本発明の更なる態様は、動作ヘッドから離れる作動要素の軸方向運動中に、ロック解除部分が差し込みシャフトの係合要素と係合するように移動可能とされ且つその係合要素をロック解除位置に押し出すように配置されて構成されたロック解除部分を有するように作動要素を提供する。換言すれば、作動要素は、付属品が歯ブラシハンドピースから引き離される場合に、作動要素が自動的に結合挿入体をロック解除するように配置されて構成される。
【００１０】
本発明の望ましい実施形態によれば、くさび状面が差し込みシャフトの結合外形の係合要素及び／又は作動要素に備えられることができ、その面は、係合要素が作動要素を乗り越えた場合に所望のロック解除運動をもたらす。一対の平坦なくさび状面が備えられてもよく、一方ではカム又はカム型式の制御面であり、且つ、他方では軸方向の相対運動の結果として係合要素が作動要素を乗り越えた場合に、上記軸方向の運動を、軸方向を横断する方向におけるロック解除運動に変える、制御面を乗り越える作動要素の様態で、球面又は凹面構成における孤状の一対の傾斜面を使用することも可能である。
【００１１】
運動学的な反転において、差し込みシャフトの結合外形又はそれに対して連結された係合要素のロック解除を実行しないがロックを実行するように作動要素を備えることもまた一般的に可能である。この場合、その初期位置における係合部分が採用されてもよく、又は、非ロック位置に付勢されてもよい。付属品が歯ブラシハンドピース上に差し込まれた場合に、結合の係合要素は、作動要素を介してロック位置に押し出される。しかしながら、好ましいものは、差し込みシャフトの結合外形が自動ロックされるように構成され、付属品が歯ブラシハンドピース上に位置した場合にそれ自身に起こるロックが、その後、付属品が再度取り外される場合に作動要素によって外されるものにかかる、本発明の上述した実施形態である。
【００１２】
本発明の特に有利な実施形態において、係合要素は、結合部材が歯ブラシハンドピース上に差し込まれた場合に、歯ブラシハンドピースの駆動シャフトの連結部材に沿って摺動し、その過程で弾性的に反発し、完全に差し込まれた位置に到達すると積極的な係合によって適所に嵌め込むバネ留め金（catch）及び／又は戻り止めクリップを形成してもよい。付属品が再度歯ブラシハンドピースから取り外されることになっている場合に、バネ留め金又は戻り止めクリップは、作動要素とバネ留め金又は戻り止めクリップとの間における軸方向の相対運動によってその嵌め込み位置から外れる。
【００１３】
一般的に、係合要素は、様々な方法で構成されることができる。本発明の有利な実施形態によれば、係合要素は、有利には弾力性があって及び／又は横軸まわりに旋回して作動要素によって半径方向に移動可能な係合フィンガの突出端部に備えられた特に戻り止めフック状の戻り止め外形を有していてもよい。有利には、少なくとも１つの係合フィンガは、差し込みシャフトの結合部分の本体と一体的に単片から形成されていてもよく、残りの本体に関して弾力性があるように例えば縦方向スリットによって他の本体から分離されてもよい。係合フィンガはまた、差し込みシャフトに締め付け固定された分離した結合付属品の一部であってもよい。
【００１４】
それに代えて又は加えて、係合要素はまた、その一端において特に歯ブラシハンドピースと係合してロックするための戻り止めフックの形態である適切な戻り止め外形を有し、且つ、その他端において上述した作動要素と係合するように移動可能である作動部分を形成する揺れ材の形態で備えられてもよい。この場合にも、係合要素は、特に上述した揺れ材の中央部分における可撓性のある連結バーを介して結合挿入体の本体と一体的に単片から形成されていてもよい。
【００１５】
本発明の有利な他の実施形態は、差し込みシャフト上に溝付き戻り止めリングを備えてもよく、リングは、半径方向に圧縮可能且つ伸長可能である。圧縮は、特に戻り止めリングを付勢することによって達成されてもよく、逆に、戻り止めリングの伸長又は拡大は、例えば戻り止めリング及び上述した作動要素上の一対の傾斜面を介して実行されることができる。
【００１６】
駆動系の結合をロック解除又は適用可能な場合にはロックするための作動要素は、様々な方法で構成されることができる。有利には、作動要素は、付属品が引き離された若しくは差し込まれた場合に自動的に操作し、自動的に結合駆動系の係合要素をロック解除若しくはロックするように、自動操作用に構成される。
【００１７】
本発明の特に有利な更なる態様において、作動要素は、特にそれと一体的に単片から形成された結合挿入体に対して連結されていてもよい。結合挿入体は、付属品の管状の結合部材内に配置されており、付属品を歯ブラシハンドピースに保持するために、積極的な係合及び／又は摩擦的な係合によって歯ブラシハンドピースのネックとロックされるのに役立つ。有利には、付属品の結合挿入体は、付属品の縦方向においてその結合部材に対して軸方向に変位可能であり、積極的な係合又は摩擦的な係合によって歯ブラシハンドピースのネックとロック可能な係合要素に対して連結されており、したがって付属品が歯ブラシハンドピースから引き離された及び／又は歯ブラシハンドピースに差し込まれた場合に、結合挿入体が付属品の管状の結合部材に対して付属品の縦方向において軸方向運動を受ける。付属品が引き離された及び／又は差し込まれた場合には、この構成は、付属品の縦軸を横断する方向に結合駆動系の係合要素の作動運動に変えられる、駆動シャフトを結合するための作動要素の軸方向の作動運動をも自動的に、もたらす。
【００１８】
この装置において、作動要素は、特に、好ましくはスリーブ状の結合挿入体の前端部から突出し且つ差し込みシャフトの結合外形の係合要素とそこで係合する結合駆動系の範囲まで延出している引っ張りフックの形態で構成されてもよい。
【００１９】
有利には、付属品は、結合部材、及び／又は、その上に備えられた作動要素に対する結合挿入体の軸方向運動が、付属品の縦方向を横断する方向における結合挿入体の係合部分のロック解除及び／又はロック運動をもたらすような方法で上記結合挿入体に関して構成されていてもよい。結合挿入体又はその係合部分が歯ブラシハンドピース上にロックされた場合には、まず、付属品又はそれに対して連結された作動要素が、ロックされた結合挿入体に対して付属品の縦方向において略軸方向に移動されることが必要であり、これにより、結合挿入体は、最初に、ハンドピースに対してロックされるために歯ブラシハンドピースに対して移動しない。軸方向の相対運動が外されるまで、ロックは、結合挿入体が歯ブラシハンドピースから付属品とともに引き離されることができない。この２段式の取り付け又は連結機構は、それにもかかわらず付属品の縦方向を横断する方向に起こるロック運動によって堅固な締め付け固定が保証されることから、歯ブラシハンドピースと結合挿入体との間の界面において備えられることになる外形を連結する又は接合する非自動ロックさえも許容する。
【００２０】
そのような結合スリーブに対して結合駆動系の作動要素の締め具（fastening）の代替として、一般的に、ハンドピースネック上の管状の結合部材の連結手段から分離した一部として作動要素が構成されることも可能である。例えば、作動要素は、結合部材上で変位するように取り付けられたスライド形式とすることができ、上記スライドは、好ましくは、結合駆動系を外す又はロックするために、指先制御を含む、及び／又は、例えばユーザの親指によって管状の結合部材に対して付属品の縦方向に変位可能である。
【００２１】
結合駆動系の結合外形は、一般的に、様々な方法で成形されてもよい。特に、差し込みシャフトの結合外形は、付属品の動作ヘッドから離れる方向に拡大し且つ７°よりも大きい傾斜角を有し且つそれに応じてもはや自動ロックされるようには構成されていない円錐状の取付け部を画成してもよく、対応する様態で、従来は前端部から突出していた歯ブラシハンドピースの駆動シャフトのスタブ状の連結部材は、対応する方法で７°よりも大きい傾斜角を備えた円錐状に成形されてもよい。運動学的な反転において、いわば、この装置を反転して、ハンドピースの駆動シャフト上に、有利には付属品の均一な円錐状の差し込みシャフトが内部に差し込まれることができる望ましくは上述した型式の円錐状の取付け部を備えることも一般的に可能である。しかしながら、好ましいものは、差し込みシャフト内に取付け部を備えた上述した装置である。２つのシャフトの連結部材の上記比較的明確なテーパーは、いかなる直径の差異も対応する軸方向運動によって相殺され得ることから、連結を許容誤差の影響を受けない状態にする。
【００２２】
付属品の縦方向を横断する方向に移動可能な係合要素による上述した２つのシャフト部品のロックは、非自動ロック構成の存在下であっても、相対的に協働する結合外形の不要な離脱を防止することから、結合駆動系の面が広がるそのような界面の円錐状の構成は、有利には特にそのようなロックに関連している。それにもかかわらず、一対の円錐状の広がる面は、許容誤差が寛大な堅固で遊びなしのシャフト連結が達成されるのを可能とする。
【００２３】
それに代えて又は加えて、駆動系の界面の広がる面の上記円錐状の構成はまた、歯ブラシハンドピースのネック上の付属品ブラシの管状の結合部材のロックに有利に使用されてもよい。積極的な係合及び／又は摩擦的な係合によって歯ブラシハンドピース上に管状の結合部材をロックすることにより、差し込みシャフト及び駆動シャフトの結合外形はまた、意図的でない離脱が起こり得ることなく、互いにしっかりと保持される。特に、２つのシャフト部品の結合外形がそれらの結合位置に付勢された場合には、有利であり、このことは例えば、歯ブラシハンドピースにおいて駆動シャフトを軸方向に変位可能に案内し且つ適切なバネ装置によって駆動シャフトを付属品ブラシの方に付勢することによって達成されることができる。それに代えて又は加えて、付属品ブラシにおける差し込みシャフト又は少なくとも結合外形を担持する末端が、付属品ブラシの動作ヘッドから離れるように、すなわち、歯ブラシハンドピースの方に適切なバネによって付勢されることも可能である。これを達成するために、例えば、差し込みシャフトは、伸縮自在シャフトのように一方が他方の内部に且つ互いから外部に摺動可能なシャフト部品を含んでもよい。
【００２４】
差し込みシャフト及び／又は駆動シャフト上の結合外形は、差し込みシャフトの結合外形及び駆動シャフトの相補的な結合外形上にいかなる逃げ溝及び軸方向に効果的な嵌め込み作用連結もない製造の特定の容易さを提供する方法で実装されることができる。したがって、２つのシャフト部品は、単に、特に軸まわりに対称でない円錐状の接合面によってトルク伝達が可能とされて、一方が他方の内部に差し込まれる。この装置において、一方が他方の内部への結合外形の軸方向の締め付け固定は、上述した歯ブラシハンドピースのネック上への付属品の管状の結合部材のロックによって保証される。
【００２５】
本発明の他の望ましい態様において、付属品の上述した特徴に代えて又は加えて、付属品の差し込みシャフトは、その結合部分については、異なる歯ブラシハンドピース、より正確にいうと、そのような歯ブラシハンドピースの異なる駆動シャフトと結合されることができるような方法で構成される。
【００２６】
特に、付属品の差し込みシャフトは、異なる歯ブラシハンドピースの異なる駆動シャフトにそれぞれ完全係合して結合するための２つの分離した独立に効果的な結合外形を含むことができる。この文脈において、分離して独立に効果的とは、差し込みシャフトに結合されることになる歯ブラシハンドピースの駆動シャフトが、２つの結合外形のうちのそれぞれ一方のみと力又はトルク伝達係合するように移動されるということである。本発明の更なる態様において、２つの結合外形のうちの第１の結合外形は、積極的な係合及び／又は摩擦的な係合によって歯ブラシハンドピースの駆動シャフトをロックするために、付属品の縦方向を横断する方向に移動可能な係合要素を有するとともに、２つの結合外形のうちの第２の結合外形は、歯ブラシハンドピースの駆動シャフト上の均一な円錐状の接合面と係合するための円錐状の接合面を含み、逃げ溝を欠いており、軸方向の効果的な嵌め込み作用連結を欠いている。特に、２つの結合外形のうちの第１の結合外形は、上述した方法で構成されてもよく、例えば、戻り止めフィンガ、分割した戻り止めリング、又は、特に上述した結合スリーブに締め付け固定された引っ張りフックの形態である軸方向に移動可能な作動要素を介して作動可能な旋回部品を、横方向に移動可能な係合要素として含んでもよい。２つの結合外形のうちの第２の結合外形は、有利には、上述した様態で非自動ロックされてもよく、７°よりも大きい傾斜角を備えたテーパーを有していてもよい。
【００２７】
本発明は、以下、望ましい実施形態及び関連する図面を参照してより詳細に説明される。
【図面の簡単な説明】
【００２８】
【図１】そのロック位置に示された、付属品ブラシの管状の結合部材内に位置する結合挿入体を備えた、歯ブラシハンドピースの前端部の連結部材及びその上に位置する付属品ブラシを示している、本発明の好ましい実施形態にかかる電動歯ブラシの縦断面における部分図である。
【図２】図１における図示と比較して９０°回転された図１の歯ブラシの縦断面図である。
【図３】付属品ブラシにおける結合挿入体と歯ブラシハンドピースのネックとの間の留め金機構の領域における図１及び図２の歯ブラシの横断面図である。
【図４】歯ブラシのハンドピースの駆動シャフトとの付属品ブラシの差し込みシャフトの連結をより詳細に示している、図１〜図３の電動歯ブラシの単純化して拡大した縦断面における部分図である。
【図５】本発明の他の好ましい実施形態にかかる付属品ブラシの結合部材内の結合駆動系であってカムタイプの作動要素を備えた旋回可能取付けロックアームを有する結合駆動系の断面における部分図である。
【図６】本発明の他の望ましい実施形態にかかる付属品ブラシの結合部材内の結合駆動系であって、作動要素の引っ張りフックと反対側の側面上のバネ要素上で旋回運動するように取り付けられた旋回可能取付けロックアームを有する結合駆動系の断面における部分図である。
【図７】本発明の他の望ましい実施形態にかかる付属品ブラシの結合部材内の結合駆動系であって、作動要素の引っ張りフックがロックアームの戻り止め突起と反対側の側面上に作用するように配置されている旋回可能取付けロックアームを有する結合駆動系の断面における部分図である。
【図８】本発明の他の望ましい実施形態にかかる付属品ブラシの結合部材内の結合駆動系であって分割した伸張可能な戻り止めリングを含む結合駆動系の断面における部分図である。
【図９】単に付属品ブラシの結合部材内の結合挿入体が歯ブラシハンドピースにロックされているとともに、結合駆動系が軸方向ロックなしの非自動ロックタイプの円錐状の接合面から構成されている、本発明の他の好ましい実施形態にかかる電動歯ブラシの縦断面における部分図である。
【図１０】図９と比較して９０°回転された平面における図９の歯ブラシの縦断面における部分図である。
【図１１】結合挿入体の戻り止めフックの領域における図９及び図１０の歯ブラシの付属品ブラシとハンドピースとの間の連結の横断面図である。
【詳細な説明】
【００２９】
図１〜図３において示される歯ブラシ１は、ハンドピース４と、それに対して連結された付属品ブラシ３３の形態である付属品とを備える。ハンドピース４は、当該技術において公知の様態で、駆動モータ及び例えば再充電可能なバッテリの形態である電力供給装置を収容でき且つ駆動のオン及びオフを切り替えるための作動スイッチが備えられたハウジングを備える。図１において示されるハンドピース４の前端部において、ハンドピース４のハウジングは、示される実施形態において円錐状に成形されてその自由端の方にテーパーが付けられた、前方に突出しているスタブ状の連結部材３４を形成し、これは有利には７°よりも大きい傾斜角３５を有する連結部材３４の円錐状の外形を持つので、自動ロックの方法でクランプ締めされることができない。上記連結部材３４の前端部から延出しているものは、振動性の回転運動において駆動されるように適合された駆動シャフト３１である。
【００３０】
付属品ブラシ３３は、示された実施形態においては剛毛の縦方向においておおよそ指し示している剛毛区域軸まわりの振動性の回転運動において駆動されるように適合された、より詳細には示されていない一組の剛毛を備えた動作ヘッド２を備える。上記動作ヘッド２は、歯ブラシハンドピース４のネック又は連結部材３４上に差し込まれることができる全体的に管状の結合部材３によって担持されている。上記管状の結合部材３の内部において、付属品ブラシ３３は、以下により詳細に説明されるように相対回転を防止する様態でハンドピースの駆動シャフト３１と結合されるように適合された差し込みシャフト２９を備える。
【００３１】
付属品ブラシ３３をハンドピース４に対して固く締めるために、管状の結合部材３は、付属品の縦方向３８の方向への軸方向変位のために管状の結合部材３内に収容できる結合スリーブの形態である結合挿入体５を含む。結合部材３は、結合挿入体５が少なくともそのロック状態において止まり嵌めによって位置する挿入体取付け部１６をその内壁によって形成している。それは、より詳細に後に記載される。当然のことながら、挿入体取付け部１６は、様々な方法で構成されてもよく、例えば、全体的に円筒状又は全体的にテーパーが付けられた若しくは円錐状の構成であってもよく、又は、円錐状部分と同様に円筒状部分を含んでもよいことが理解されよう。示された実施形態において、挿入体取付け部１６は、結合挿入体５の内側端部を対象とした円筒状部分がその領域４０に備えられた、全体的に僅かに円錐状である。
【００３２】
図示の明確化のために図面においては示されていないバネは、有利には、結合部材３内において軸方向に結合挿入体５を保持するか、又は、所定の初期位置にそれを付勢する。上記バネは、動作ヘッド２の近くの結合挿入体５の側面に有利には備えられてもよく、一方が上記結合挿入体５に対して連結されており、他方が結合部材３に固定されてもよい。
【００３３】
スリーブ状の結合挿入体５は、歯ブラシハンドピース４が止まり嵌めによって取付け部１３内に挿入されることができるように、上記ハンドピース４の連結部材３４の外周の外形に一致するように成形された取付け部１３をその内周面によって形成している。取付け部１３は、連結部材３４に適合される７°よりも大きいそれぞれのテーパーの傾斜角を備えた全体的に円錐状の構成である。結合挿入体５は、弾力性がある継手の形態、又は、結合挿入体５の残りの本体と一体的に単片から形成され且つＵ字状のスリットによって上記挿入体から分離されたバネフィンガ１２の形態である２つの相互に対向する係合部分６を有し、したがって係合フィンガ１２が付属品の縦方向３８を横断する方向において半径方向にバネ開閉することができる。係合フィンガ１２は、付属品の縦方向３８と略平行なそれらの縦軸によって延出している。
【００３４】
図１が示しているように、係合フィンガ１２は、歯ブラシハンドピース４の連結部材３４の外周面において一致して成形された戻り止め切り込み４１に嵌め込むように適合された戻り止めフック１１を半径方向内側に突出しているそれらの自由端を担持している。勿論、当然のことながら、例えば連結部材３４上の戻り止め突起及び係合フィンガ１２上の戻り止め切り込みを備える図示された実施形態の幾何学的な反転等、他の適切な戻り止め外形が備えられてもよい。
【００３５】
図３が示しているように、結合挿入体５によって画成された連結部材３４及び取付け部１３は、断面において円形ではなく、双方とも平坦化されている。特に、連結部材３４は、戻り止め切り込み４１が備えられる２つの相互に対向する平坦化された表面を有する。係合フィンガ１２は、２つの平坦化された表面及びその内部に備えられた戻り止め切り込み４１に相補的であるそれらの内側面を有する。
【００３６】
結合挿入体５と歯ブラシハンドピース４の連結部材３４との間における図１において示されるロックを外すことができるように、付属品ブラシ３３の結合部材３は、図示された実施形態においては動作ヘッド２から離れた側面上の管状の結合部材３の前端部に位置しているリングの形態である作動部材７を含む。リングは、作動部材７の色から「自分の」付属品ブラシを識別することが可能なユーザによって付属品ブラシ３３を他と区別するという二重機能を果たすように、有利には着色されたリングとして備えられてもよい。
【００３７】
作動部材７は、それぞれが結合部材３の内部に付属品の縦方向において軸方向に突出している作動フィンガ２１の形態である２つのロック解除部分８を備える。これらの作動フィンガ２１は、有利には、係合フィンガ１２の自由端の領域において結合挿入体５によって形成された取付け部１３に係合する。作動フィンガ２１の突出端部に備えられているのは、結合挿入体５の係合フィンガ１２の突出端部上の傾斜面と協働するのに役立つ傾斜面１０である。傾斜面９、１０は、作動フィンガ２１にわたる係合フィンガ１２の軸方向の乗り越え動作中に、係合フィンガ１２が半径方向外側に広げられることによってそれらが歯ブラシハンドピース４の連結部材３４における戻り止め切り込み４１から持ち上げられるように形成されている。
【００３８】
図示された実施形態において、結合挿入体５は、軸方向運動をもたらすために結合部材３内において軸方向に変位可能である。それに代えて又は加えて、環状の作動部材７は、結合部材３内において軸方向に変位可能であり得る。好ましい図示された実施形態において、しかしながら、作動部材７は、結合部材３の内壁上の留め金機構４２によって結合部材３にしっかりと位置している。
【００３９】
特に図２において示されているように、差し込みシャフト２９と駆動シャフト３１との間の結合界面もまた、付属品の縦方向３８を横断する方向に移動可能な係合要素による完全係合によってロックされることができる。示された実施形態において、上記係合要素１０６は、横軸１４０まわりに旋回可能であり且つ駆動シャフト３１を対象とした取付け部４３の内側に向かって突出している戻り止めフック１１１の形態である戻り止め突起をその内周面上に有する係合フィンガ１１２によって形成されている。示された実施形態において、上記係合フィンガ１１２は、有利には、差し込みシャフト２９の本体と一体的に単片から形成されている。ピボット軸又は横軸１４０は、図２を参照するように、選択された領域において材料を脆弱化することによって形成されてもよい。示された実施形態において、戻り止めフック１１１は、有利には、図２を参照するように、横方向に駆動シャフト３１内に延出している略Ｖ字状の切り込み１３１とぴったりと合う斜め突起の形態で備えられている。
【００４０】
上記係合フィンガ１１２を作動するために、上述したスリーブ状の結合挿入体５と一体的に単片から形成され且つその前面から駆動シャフト界面の領域の範囲まで突出している引っ張りフック１３２の形態である作動要素１０７が備えられている。引っ張りフック１３２は、横軸１４０から遠い側面上の係合フィンガ１１２の端部を囲んでおり、一対の傾斜面１０９、１１０は、係合フィンガ１１２と引っ張りフック１３２との重なり合った端部に備えられており、したがって係合フィンガ１１２が引っ張りフック１３２を乗り越える間に又はその逆も同様に、２つの部品間の軸方向の相対運動が、係合フィンガ１１２の半径方向の作動運動に変えられる。
【００４１】
図４の拡大部分図が示しているように、差し込みシャフト２９における止まり孔タイプの取付け部４３は、２つの独立した能動的結合外形１３０ａ、１３０ｂを含む。２つの結合外形のうちの第１の結合外形１３０ａは、上述した係合フィンガ１１２と一般的に円筒状部分１３０ｃを有してもよい関連する取付け部４３の差し込み外形とによって形成されている。示された実施形態において、相補的な駆動シャフト３１は、その係合部分が全体的に円筒状構成であり、対応するトルク伝達を保証するためにその横断面が好都合なことに円筒状ではないが片面に平坦面を有するように差し込まれている。この装置において、駆動シャフト３１は、横方向に移動可能な係合フィンガによって差し込みシャフト２９に締め付け固定されている。２つの結合外形のうちの第２の結合外形１３０ｂは、第１の結合外形１３０ａから軸方向に離隔されて配置されており、示された実施形態においては差し込みシャフト２９の端部からみたときに上記第１の結合外形１３０ａよりも前方に配置されている。示された実施形態において、それは、示された実施形態においては有利には７°よりも大きい傾斜角で差し込みシャフト２９の縦軸に対して傾斜した平坦な傾斜面１３０ｄを有する取付け部４３の全体的に円錐状部分から構成されている。特に図４においてより詳細に示されているように、円錐状の第２の結合外形は、有利には、第２の結合外形がまた係合フィンガ１１２の戻り止めフック１１１と協働して活用されてもよいように、戻り止めフック１１１の領域内の範囲まで延出している。しかしながら、図２及び図４において示された実施形態において、歯ブラシハンドピース４の駆動シャフト３１が上述した方法で円筒状に成形されていることから、上記第２の結合外形１３０ｂは活用されない。
【００４２】
したがって、以下の操作モードが生じる。
【００４３】
すなわち、付属品ブラシ３３が歯ブラシハンドピース４上に差し込まれた場合に、連結部材３４は、結合挿入体５の取付け部１３に螺入し、これにより、戻り止めフック１１は、係合フィンガ１２が広がって開放するように連結部材３４の外周面に沿って摺動する。完全に差し込まれた位置に到達すると、係合フィンガ１２は、嵌め込み作用によって戻り止めフック１１を戻り止め切り込み４１にさせるように半径方向内側に跳ねる。結合挿入体５は、歯ブラシハンドピース４上に差し込まれると上記ハンドピースに自動的にロックするバネ留め金を形成する。ロックされた位置において、連結部材３４は、止まり嵌めによって円錐状の取付け部１３に位置する。同様に、結合挿入体５は、結合部材３の挿入体取付け部１６内にぴったりと受けられる。
【００４４】
積極的な係合ロックを外すために、ユーザは、単に、歯ブラシハンドピース４から付属品の縦方向３８に付属品ブラシ３３を引き離すことを必要とする。結合挿入体５が戻り止めフック１１によって歯ブラシハンドピース４上に軸方向にしっかりと保持されていることから、これは、最初に結合部材３と結合挿入体５との間の軸方向の相対運動において生じる。そのような軸方向の相対運動の結果として、作動部材７の作動フィンガ２１は、係合フィンガ１２が戻り止め切り込み４１から半径方向に一対の傾斜面９、１０を介して持ち上げられるように、係合フィンガ１２又は戻り止めフック１１の下方に移動する。結合挿入体５と結合部材３との間における軸方向の相対運動中に、バネ１７のバネ部分１８、１９の対応する変形が起こる。
【００４５】
それらの戻り止めフック１１を有する係合フィンガ１２が歯ブラシハンドピース４からロック解除された場合には、結合挿入体５は、ハンドピース４から結合部材３とともに引き離される。バネ１７は、その初期位置に結合挿入体５を復帰するように操作する。このバネ復帰機能は、有利であるが不可欠ではない。取付け部１３及び／又は場合によっては備えられている従動要素の円錐状の構成のために、結合挿入体５は、バネ１７がない場合であっても歯ブラシハンドピース４上に再度差し込まれた場合に、そのロック位置に押し戻される。
【００４６】
同時に、結合挿入体５又はその上に形成された引っ張りフック１３２の軸方向運動は、外されることになる差し込みシャフト２９と駆動シャフト３１との間のロックを生じさせる。一対の傾斜面１０９、１００を介して、係合フィンガ１１２に対する引っ張りフック１３２の軸方向運動は、係合フィンガ１１２を半径方向外側に引っ張り、それにより駆動シャフト３１における切り込み１３１から外される。したがって、駆動シャフト３１は、差し込みシャフト２９から引き離される。
【００４７】
駆動シャフト界面及びそのロック係合の可能性のある具体的な代替が図５において示されている。ここでもまた、ロック係合を生じさせる差し込みシャフト２９の係合要素は、内側に突出している戻り止めフック１１１を有する旋回可能な係合フィンガ１１２の形態で備えられており、上記係合フィンガ１１２は、いわば旋回ラッチ又は歯止めを形成している。この装置において、係合フィンガ１１２は、差し込みシャフト２９の残りの本体から分離した一部として形成されており、図５を参照するように、戻り止めフック１１１が取付け部４３内に内側に突出するように、軸方向に延出する取付け部４３の領域内の凹部１０６に配置されている。横方向に延出しているピボット軸１４０は、例えば車軸ボルトとして形成されてもよい。
【００４８】
図５において示された実施形態において、係合フィンガ１１２は、結合挿入体５から軸方向に突出して作動要素１０７を形成している機能アーム１３５によって作動される。特に、旋回可能な係合フィンガ１１２を作動させるために、カムタイプの傾斜面１０９、１１０が機能アーム１３５及び係合フィンガ１１２の前端部に備えられており、係合フィンガ１１２上の傾斜面１０９は、図５を参照するように、フィンガのピボット軸１４０に関してレバーアームを有し、示された実施形態においては上記ピボット軸１４０と戻り止めフック１１１との間に配置されている。
【００４９】
この装置から生じる操作モードは、基本的に、上述した図１〜図４の実施形態に対応している。
【００５０】
係合要素１０６が、差し込みシャフト２９における取付け部４３を横切って且つ越えて延出している旋回歯止め１３６によって形成されているものにかかる、係合要素１０６の他の変形例が図６において示されている。上述した実施形態と同様に、戻り止め歯止め１３６はまた、駆動シャフト３１の切り込み１３１に係合するために戻り止めフック１１１を有する。しかしながら、図６の実施形態において、戻り止め歯止め１３６は、図６を参照するように、横方向に均一に延出しているピボット軸１４０まわりに戻り止めフック１１１の反対側にある差し込みシャフト２９上に取り付けられている。バネ装置１３７は、そのロック位置に戻り止め歯止め１３６を付勢しており、示された実施形態においては、上記バネ装置１３７は、差し込みシャフト２９上に一体的に形成されたバネアームによって形成されてもよい。
【００５１】
戻り止め歯止め１３６を作動させるために、引っ張りフック１３２の形態である作動要素１０７が、駆動シャフト界面の領域の範囲まで結合挿入体５から軸方向に突出して備えられている。図１〜図４の実施形態と同様に、戻り止め歯止め１３６の作動は、一対の傾斜面１０９、１１０を介して行われる。
【００５２】
図７は、図６と同様の２つのシャフト２９、３１間のロック機構の実施形態を示している。ここでもまた、戻り止め歯止め１３６は、差し込みシャフト２９における取付け部４３を横切って且つ越えて延出しているが、図６の実施形態とは異なり、横方向に延出しているピボット軸１４０及び戻り止めフック１１１が、駆動シャフト３１の同じ側に配置されている。取付け部４３の反対側まで延出している戻り止め歯止め１３６の部分１３６ａは、上述した実施形態と同様に、一対の傾斜面１０９、１１０を介して引っ張りフック１３２によって作動可能な作動アームを形成している。
【００５３】
差し込みシャフト９と駆動シャフト３１との間のロック機構の他の実施形態が図８において示されている。この実施形態によれば、差し込みシャフト２９は、例えばその拡大を可能とするように縦方向に溝が付けられた構成からなることができる、半径方向に拡大及び縮小されることができる戻り止めリング１２５の形態である係合要素１０６を含む。有利には、戻り止めリング１２５は、そのロックして縮小された位置に弾性的に付勢されるように構成されている。図８が示しているように、戻り止めリング１２５は、駆動シャフト３１における切り込み１３１に係合する戻り止めフック１１１の形態である内側に突出した戻り止め外形をその内周面上に有する。
【００５４】
この装置において、戻り止めリング１２５は、差し込みシャフト２９の本体上の周の凹部に位置している。上記戻り止めフック１１１の領域において、戻り止めリング１２５は、軸方向に突出するように結合挿入体５に順番に一体的に形成されている引っ張りフック１３２と協働する係合切り込みをその外周面上に有する。この場合もやはり、一対の傾斜面１０９、１１０が戻り止めリング１２５及び引っ張りフック１３２に備えられてもよい。支持機能を果たす場合には、引っ張りフック１３２による差し込みシャフト２９の本体に対する戻り止めリング１２５の軸方向運動が拡張運動をもたらすように、差し込みシャフト２９の外周面における凹部及び／又は戻り止めリング１２５の当接前縁に拡張した面取り面が備えられてもよい。
【００５５】
駆動シャフト界面のロック機構の操作モードは、上述した実施形態と同様である。
【００５６】
図９〜図１１は、図１〜図３の実施形態と一般的に同様である本発明の有利な実施形態を示している。図１〜図３の実施形態において記載されたものと同様の要素に同一参照符号が与えられる。駆動系における結合界面の構造においてかなりの差異がある。特に図１０において示されているように、図示された実施形態において、付属品ブラシ３３の差し込みシャフト２９は、単に円錐状の接合面によってハンドピースの駆動シャフト３１に結合されており、駆動シャフト３１は、ハンドピース４のハウジングから突出している端部上に円錐状に成形されており、傾斜角が７°よりも大きいことが同様に可能とされている。差し込みシャフト２９は、駆動シャフト３１のテーパーに適合され且つ同様に７°よりも大きい傾斜角を有する接合面１３０ｃを備える、一致するように成形されて前側が開放した有利には止まり孔タイプの取付け部４３を有する。付属品ブラシ３３を堅固に差し込むことにより、積極的な係合及び／又は摩擦的な係合による連結が差し込みシャフト２９と駆動シャフト３１との間に確立されることができる。このシャフト間の連結は、軸方向に効果的な嵌め込み作用連結又は他の軸方向保持手段をなくしてもよい。
【００５７】
例えば、ユーザが「自分の」付属品ブラシ又は歯ブラシのみを使用することができるのを保証するために、差し込みシャフト２９の２つの結合外形１３０ａ、１３０ｂのうちの一方のみが使用されることを確実にするために、結合外形１３０ａ、１３０ｂのうちの一方が、いわばそれを動かない状態にするアダプタの非解放的な挿入によって被覆されることができる。例えば、アダプタは、差し込みシャフト２９の取付け部４３に非解放的に挿入されることができ、円錐状の第２の結合外形１３０ｂのみが使用されたままとするように、第１の結合外形１３０ａを閉塞する。それに代えて又は加えて、そのようなアダプタはまた、特に歯ブラシハンドピース４の駆動シャフト３１上にそれを差し込むことにより、ハンドピース上に備えられてもよい。例えば、円錐状のアダプタは、結合が円錐状の第２の結合外形１３０ｂを用いて行われるのを可能とするために、一例として図４において示された駆動シャフト３１上を滑ることができ、そこにおいて切り込み１３１に非解放的に嵌め込まれることができる。
【符号の説明】
【００５８】
１…歯ブラシ、２…動作ヘッド、３…結合部材、４…ハンドピース、５…結合挿入体、６…係合部分、７…作動部材、８…ロック解除部分、９、１０…傾斜面、１１…戻り止めフック、１２…係合フィンガ、１３…取付け部、１５…傾斜角、１６…挿入体取付け部、１７…バネ、１８、１９…バネ部分、２１…作動フィンガ、２９…差し込みシャフト、３１…駆動シャフト、３２…接合面、３３…付属品ブラシ、３４…連結部材、３５…傾斜角、３８…付属品の縦方向、４０…領域、４１…戻り止め切り込み、４２…留め金機構、４３…取付け部、１０６…係合要素、１０７…作動要素、１０８…ロック解除部分、１０９、１１０…傾斜面、１１１…戻り止めフック、１１２…係合フィンガ、１２５…戻り止めリング、１３０、１３０ａ、１３０ｂ…結合外形、１３０ｃ…円筒状部分、接合面、１３０ｄ…傾斜面、１３１…切り込み、１３２…引っ張りフック、１３５…機能アーム、１３６…旋回歯止め、１３６ａ…部分、１３７…バネ装置、１４０…横軸
【図１】
0005496678.tif 000002
【図２】
0005496678.tif 000003
【図３】
0005496678.tif 000004
【図４】
0005496678.tif 000005
【図５】
0005496678.tif 000006
【図６】
0005496678.tif 000007
【図７】
0005496678.tif 000008
【図８】
0005496678.tif 000009
【図９】
0005496678.tif 000010
【図１０】
0005496678.tif 000011
【図１１】
0005496678.tif 000012